(57)【要約】コーキシンの影響を受けることなくネコの尿タンパクを検出し、ネコの腎臓病を診断する方法および診断薬の提供。  ネコ尿をコーキシンに特異的に結合するレクチンまたは抗コーキシン抗体と接触させることにより、ネコ尿からコーキシンを除去する請求項１記載のネコの腎機能障害由来の尿タンパクの検出方法。
2009013839.tif 000002
【特許請求の範囲】
【請求項１】
ネコ尿からコーキシンを除去し、コーキシン除去ネコ尿検体中のタンパク質を検出することを含む、ネコの腎機能障害由来の尿タンパクの検出方法。
【請求項２】
ネコ尿をコーキシンに特異的に結合するレクチンまたは抗コーキシン抗体と接触させることにより、ネコ尿からコーキシンを除去する請求項１記載のネコの腎機能障害由来の尿タンパクの検出方法。
【請求項３】
コーキシンに特異的に結合するレクチンまたは抗コーキシン抗体を結合させた担体を用いてネコ尿からコーキシンを除去する、請求項２記載のネコの腎機能障害由来の尿タンパクの検出方法。
【請求項４】
コーキシンに特異的に結合するレクチンまたは抗コーキシン抗体を結合させた担体を充填したカラムを用いてネコ尿からコーキシンを除去する請求項３記載のネコの腎機能障害由来の尿タンパクの検出方法。
【請求項５】
レクチンがレンズマメレクチンである請求項２〜４のいずれか１項に記載のネコの腎機能障害由来の尿タンパクの検出方法。
【請求項６】
コーキシン除去ネコ尿中のタンパク質の検出が、尿タンパク検出用の尿試験紙を用いて行われる請求項１〜５のいずれか１項に記載のネコの腎機能障害由来の尿タンパクの検出方法。
【請求項７】
コーキシンに特異的に結合するレクチンがレンズマメレクチンである請求項２〜６のいずれか１項に記載のネコの腎機能障害由来の尿タンパクの検出方法。
【請求項８】
コーキシンに特異的に結合するレクチンを結合させた担体がＳｅｐｈａｒｏｓｅ（登録商標）またはＴＯＹＯＰＥＡＲＬ（登録商標）である請求項３〜７のいずれか１項に記載のネコの腎機能障害由来の尿タンパクの検出方法。
【請求項９】
請求項１〜８のいずれか１項に記載のネコの尿タンパクの検出方法により、ネコの尿タンパクを検出し、ネコが腎機能障害を有しているかどうか判定することを含む、ネコの腎機能障害の診断方法。
【請求項１０】
コーキシンに特異的に結合するレクチンまたは抗コーキシン抗体を結合させた担体および尿タンパク検出用尿試験紙を含む、ネコの腎機能障害由来の尿タンパク検出試薬。
【請求項１１】
コーキシンに特異的に結合するレクチンまたは抗コーキシン抗体を結合させた担体を充填したカラムおよび尿タンパク検出用尿試験紙を含む、請求項１０記載のネコの腎機能障害由来の尿タンパク検出試薬。
【請求項１２】
コーキシンに特異的に結合するレクチンがレンズマメレクチンである請求項１０または１１に記載のネコの腎機能障害由来の尿タンパク検出試薬。
【請求項１３】
コーキシンに特異的に結合するレクチンを結合させた担体がＳｅｐｈａｒｏｓｅ（登録商標）またはＴＯＹＯＰＥＡＲＬ（登録商標）である請求項１０〜１２のいずれか１項に記載のネコの腎機能障害由来の尿タンパク検出試薬。
【請求項１４】
請求項１１〜１３のいずれか１項に記載のネコの尿タンパク検出試薬を含むネコの腎機能障害診断薬。
【発明の詳細な説明】
【技術分野】
【０００１】
本発明は獣医臨床におけるネコの尿検査に関し、ネコのタンパク尿を検出し、ネコの腎機能障害を診断する方法およびネコの腎機能障害の診断薬に関する。
【背景技術】
【０００２】
ペットとして飼育されているネコは、高齢になると腎臓病に非常に罹りやすく、その死因の上位を占めており、ネコの腎臓病の早期診断が獣医小動物臨床の現場で重要な課題となっている。人の場合は、尿中に排泄されるタンパク質量を測定することが腎臓病の初期診断に用いられている。タンパク尿は、腎臓の異常を早期に知らせてくれる診断マーカーとして利用されている。しかしネコにおいては、健常時にも腎臓由来のタンパク質コーキシン（Ｃａｕｘｉｎ）が尿中に高濃度存在しているため、市販の尿試験紙では生理的なタンパク尿（Ｃａｕｘｉｎ尿）と病的なタンパク尿との識別を行うことができない。尿中コーキシンを測定することにより、ネコの腎疾患を検出する方法が報告されているが、特別の試薬を必要とする（特許文献１参照）。そのため一般に尿検査に用いられているタンパク質測定用の試験紙を用いることはできず、簡便な検査法の開発が要望されている。また、尿中コーキシン量には大きな性差があり、この点でもコーキシンの検出により腎疾患を検出するのは困難であった。
【特許文献１】特開２００３−２５０５７５号公報
【発明の開示】
【０００３】
本発明は、尿検査に一般に用いられているタンパク質測定用試験紙を用いてコーキシンの影響を受けることなくネコの尿タンパクを検出し、ネコの腎臓病を診断する方法および診断薬の提供を目的とする。
健常なネコの尿中に分泌されているコーキシンは、分子量約７０ｋｄの糖タンパク質である。本発明者は、糖タンパク質と特異的に結合する植物種子由来のタンパク質であるレクチンとネコ尿タンパク質との結合性を解析し、レンズ豆由来レクチンとコーキシンが特異的に結合し、他の尿タンパク質との結合があまり見られないことを見出した。そこで、レンチルレクチンを結合させたゲル（レンチルレクチンセファロース）をネコ尿サンプルに加え、けん濁した後、上清液のタンパク質の分析を行った。その結果、コーキシンのみがゲルに吸着し、その他の尿タンパク質は上清液に回収された。この方法を利用することにより、ネコの尿からコーキシンのみを特異的に除去することが可能となり、腎機能の障害に由来する尿タンパク質の検出が容易になることを見出し、本発明を完成させるに至った。
すなわち、本発明の態様は以下の通りである。
［１］  ネコ尿からコーキシンを除去し、コーキシン除去ネコ尿検体中のタンパク質を検出することを含む、ネコの腎機能障害由来の尿タンパクの検出方法。
［２］  ネコ尿をコーキシンに特異的に結合するレクチンまたは抗コーキシン抗体と接触させることにより、ネコ尿からコーキシンを除去する［１］のネコの腎機能障害由来の尿タンパクの検出方法。
［３］  コーキシンに特異的に結合するレクチンまたは抗コーキシン抗体を結合させた担体を用いてネコ尿からコーキシンを除去する、［２］のネコの腎機能障害由来の尿タンパクの検出方法。
［４］  コーキシンに特異的に結合するレクチンまたは抗コーキシン抗体を結合させた担体を充填したカラムを用いてネコ尿からコーキシンを除去する［３］のネコの腎機能障害由来の尿タンパクの検出方法。
［５］  レクチンがレンズマメレクチンである［２］〜［４］のいずれかのネコの腎機能障害由来の尿タンパクの検出方法。
［６］  コーキシン除去ネコ尿中のタンパク質の検出が、尿タンパク検出用の尿試験紙を用いて行われる［１］〜［５］のいずれかのネコの腎機能障害由来の尿タンパクの検出方法。
［７］  コーキシンに特異的に結合するレクチンがレンズマメレクチンである［２］〜［６］のいずれかのネコの腎機能障害由来の尿タンパクの検出方法。
［８］  コーキシンに特異的に結合するレクチンを結合させた担体がＳｅｐｈａｒｏｓｅ（登録商標）またはＴＯＹＯＰＥＡＲＬ（登録商標）である［３］〜［７］のいずれかのネコの腎機能障害由来の尿タンパクの検出方法。
［９］  ［１］〜［８］のいずれかのネコの尿タンパクの検出方法により、ネコの尿タンパクを検出し、ネコが腎機能障害を有しているかどうか判定することを含む、ネコの腎機能障害の診断方法。
［１０］  コーキシンに特異的に結合するレクチンまたは抗コーキシン抗体を結合させた担体および尿タンパク検出用尿試験紙を含む、ネコの腎機能障害由来の尿タンパク検出試薬。
［１１］  コーキシンに特異的に結合するレクチンまたは抗コーキシン抗体を結合させた担体を充填したカラムおよび尿タンパク検出用尿試験紙を含む、［１０］のネコの腎機能障害由来の尿タンパク検出試薬。
［１２］  コーキシンに特異的に結合するレクチンがレンズマメレクチンである［１０］または［１１］のネコの腎機能障害由来の尿タンパク検出試薬。
［１３］  コーキシンに特異的に結合するレクチンを結合させた担体がＳｅｐｈａｒｏｓｅ（登録商標）またはＴＯＹＯＰＥＡＲＬ（登録商標）である［１０］〜［１２］のいずれかのネコの腎機能障害由来の尿タンパク検出試薬。
［１４］  ［１１］〜［１３］のいずれかのネコの尿タンパク検出試薬を含むネコの腎機能障害診断薬。
【図面の簡単な説明】
【０００４】
図１は、ネコのタンパク尿診断キットの概略を示す図である。
図２は、レクチンブロットによる各種レクチンとコーキシンとの反応を示す図である。
図３は、ＬＣＡ−コーキシンによる尿サンプルからコーキシンの除去の結果を示す図である。
図４は、ブルーチップを利用した担体カラムの作製法および使用法を示す図である。
図５は、担体カラムを通過させた尿サンプルのＳＤＳ−ＰＡＧＥの結果を示す図である。
図６Ａは、担体カラム（ＬＣＡ−Ｓｅｐｈａｒｏｓｅカラム）を通過させた尿サンプル中のタンパク質量を示す図である。
図６Ｂは、コントロールとして用いたＳｅｐｈａｒｏｓｅＣＬ−６Ｂカラムを通過させた尿サンプル中のタンパク質量を示す図である。
図７は、トヨパール担体を用いてコーキシンを除去した尿サンプルのＳＤＳ−ＰＡＧＥの結果を示す図である。
図８Ａは、トヨパール担体を用いてコーキシンを除去した尿サンプルのＳＤＳ−ＰＡＧＥゲルを用いてブラッドフォード定量法によりコーキシン量を定量した結果を示す図である。
図８Ｂは、トヨパール担体を用いてコーキシンを除去した尿サンプルのＳＤＳ−ＰＡＧＥゲルを用いてデンシトメトリー定量法によりコーキシン量を定量した結果を示す図である。
図９は、架橋トヨパール担体を用いてコーキシンを除去した尿サンプルのＳＤＳ−ＰＡＧＥの結果を示す図である。
図１０Ａは、架橋トヨパール担体を用いてコーキシンを除去した尿サンプルのＳＤＳ−ＰＡＧＥゲルを用いてブラッドフォード定量法によりコーキシン量を定量した結果を示す図である。
図１０Ｂは、架橋トヨパール担体を用いてコーキシンを除去した尿サンプルのＳＤＳ−ＰＡＧＥゲルを用いてデンシトメトリー定量法によりコーキシン量を定量した結果を示す図である。
図１１は、コーキシンを除去処理した尿検体および処理しない尿検体を用いて、尿試験紙（プレテスト、和光純薬）を用いて尿中タンパク量を測定した結果を示す図である。
図１２は、血清を加えたネコ尿を架橋トヨパール担体に添加し通過した尿のＳＤＳ−ＰＡＧＥの結果を示す図である。
図１３は、血清を加えたネコ尿を架橋トヨパール担体に添加し通過した尿のＢｒａｄｆｏｒｄ法による定量の結果を示す図である。
図１４は、腎臓病に罹患したネコの尿を架橋トヨパール担体に添加し通過した尿のＳＤＳ−ＰＡＧＥの結果を示す図である。
図１５は、腎臓病に罹患したネコの尿を架橋トヨパール担体に添加し通過した尿のＳＤＳ−ＰＡＧＥの結果を示す図である。
図１６は、腎臓病に罹患したネコの尿を架橋トヨパール担体に添加し通過した尿のＳＤＳ−ＰＡＧＥの結果を示す図である。
【発明を実施するための最良の形態】
【０００５】
本発明の方法においては、ネコ尿からコーキシンを除去し、ネコ尿中の残ったタンパク質を測定することにより、ネコの腎機能障害を診断する。
本発明におけるネコとは、ネコ科に属する動物をいい、イエネコ、ピューマ、ヤマネコ等のネコ亜科に属する動物、ヒョウ、ライオン、トラ、ジャガー等のヒョウ亜科に属する動物、チータ等のチータ亜科に属する動物を含む。
ネコ尿からのコーキシンの除去は、コーキシンに特異的に結合する物質を用いて行うことができる。ここで、コーキシンに特異的に結合する物質とは、ネコ尿中に含まれるコーキシンには結合するが、ネコ尿中に存在するコーキシン以外のタンパク質、特にネコが腎機能障害に罹患した場合に、高濃度で尿中に存在するタンパク質には結合しない物質をいう。ネコ尿中に存在するコーキシン以外のタンパク質としては、アルブミン、グロブリン、β２ミクログロブリン等が挙げられる。コーキシンに特異的に結合する物質として、レクチン、抗コーキシン抗体が挙げられる。コーキシンに特異的に結合するレクチンとして、コンカナバリンＡ（Ｃｏｎ  Ａ）、レンズマメレクチン（ＬＣＡ）、ピーナツレクチン（ＰＮＡ）、ヒマレクチン（ＲＣＡ）、インゲンマメレクチン（ＰＨＡ）、コムギ胚芽レクチン（ＷＧＡ）、エンドウマメレクチン（ＰＳＡ）、ソラマメレクチン（ＶＦＡ）等が挙げられる。この中でも、コーキシンとの結合親和性の高い、レンズマメレクチン（ＬＣＡ）が好ましい。また、その他にコーキシンの基質またはそのアナログ等のコーキシンに特異的に結合する化合物を挙げることができる。
抗コーキシン抗体は、ネコ尿からコーキシンを精製し動物に免疫することにより、ポリクローナル抗体またはモノクローナル抗体として容易に入手することができる。
除去は、ネコ尿をコーキシンに特異的に結合する物質と接触させ、コーキシンとコーキシンに特異的に結合する物質との複合体を除去すればよい。例えば、コーキシンに特異的に結合する物質を適当な担体に結合させ、該結合担体をカラムにつめ、ネコ尿を該カラムに通過させ、通過した尿を回収することにより、コーキシンを除去したネコ尿を得ることができる。また、コーキシンに特異的に結合する物質を結合させた担体をネコ尿に添加し、一定時間反応させた後に、遠心分離または濾過により、担体とコーキシンの複合体を除去してもよい。さらに、尿中にコーキシンに特異的に結合する物質を遊離の状態で添加し、一定時間反応させた後に、コーキシンとコーキシンに特異的に結合する物質の複合体を遠心分離により除去してもよい。コーキシンに特異的に結合する物質を結合させる担体としては、Ｓｅｐｈａｒｏｓｅ（登録商標）、Ｓｅｐｈａｄｅｘ（登録商標）、Ｃｅｌｌｕｌｏｆｉｎｅ（登録商標）、アフィニティークロマトグラフィー用（ＡＦＣタイプ）ＴＯＹＯＰＥＲＡＬ（登録商標）等のセルロース、アガロース、デキストラン、シリカ、ビニルポリマー、合成ポリマー等の樹脂を用いることができ、公知の方法で結合させることができる。例えば、ＴＯＹＯＰＥＡＲＬ  ＡＦ−Ｔｒｅｓｙｌ−６５０、ＴＯＹＯＰＥＡＲＬ  ＡＦ−Ｃａｒｂｏｘｙ−６５０、ＴＯＹＯＰＥＡＲＬ  ＡＦ−Ｆｏｒｍｙｌ−６５０、ＴＯＹＯＰＥＡＲＬ  ＡＦ−Ａｍｉｎｏ−６５０、ＴＯＹＯＰＥＡＲＬ  ＡＦ−Ｅｐｏｘｙ−６５０、（東ソー社）を用いることができる。また各種レクチンを結合させた担体は市販されており、これらの市販のレクチン結合担体を用いてもよい。市販のものとして、例えばＬＣＡ−Ｓｅｐｈａｒｏｓｅ（Ａｍｅｒｓｈａｍ社）、レンズマメレクチン−アガロース（生化学工業社）等が挙げられる。レクチンを利用してレクチンに結合するタンパク質を分離する方法はレクチンカラムを用いたアフィニティークロマトグラフィーとして知られ、用いるレクチンの決定、レクチンと担体との結合、カラムの作製、レクチンカラムとタンパク質との結合条件の決定等は、例えば、「新生化学実験講座  ３  糖質Ｉ  糖蛋白質（上）ｐ．３−ｐ．２９  東京化学同人  １９９０年５月２１日発行」の記載に従って行うことができる。
また、コーキシンに特異的に結合する物質を結合させた担体を含むカラムを用いる場合、少量のネコ尿を用いた場合でも尿タンパク質の検出が可能なように、ミニカラムを用いるのが望ましい。ミニカラムの容量は、例えば１００μｌ〜２０００μｌである。例えば、ポリプロピレン等の樹脂でできた市販のマイクロピペット用チップ（ブルーチップまたはイエローチップ）の先端に脱脂綿、濾紙等を詰めさらにコーキシンに特異的に結合する物質を結合させた担体を詰め、コーキシン除去用ミニカラムを作製し、該ミニカラムにネコ尿を添加して通過した尿を回収することにより、コーキシンを除去したネコ尿を得ることができる。この際、カラムの平衡化、カラムに吸着したタンパク質の溶出には、トリスバッファー、リン酸バッファー等の緩衝液を用いればよい。
この際、ネコ尿とコーキシンに特異的に結合する物質の量比に限定はないが、ネコ尿中のコーキシンがすべて除去される量比で接触させればよい。コーキシンは健常ネコの尿中において、約０．９ｍｇ／ｍｌ、腎機能障害に罹患したネコの尿中において、約０．１ｍｇ／ｍｌ以下存在しており、本発明の方法においては、健常ネコの尿中に存在するコーキシンを９０％以上、好ましくは９５％以上除去するように処理する。
ネコの腎機能障害の検出のためにはコーキシンを除去したネコ尿中のタンパク質を測定すればよい。腎機能障害のマーカーとなり得るタンパク質として、例えばアルブミン、リゾチーム、ハプトグロビン等が挙げられる。
尿中タンパク質の測定は、尿タンパク質測定用の試験紙を用いて行うことができる。
尿タンパク質測定用の試験紙は、公知の市販のものを用いればよい。市販の試験紙としては和光純薬工業のプレテスト等がある。該試験紙はブロムフェノールブルー、テトラブロモフェノールブルー等のｐＨ指示薬とクエン酸緩衝液等のｐＨ緩衝液を染み込ませてある試験紙であり、ｐＨ指示薬のタンパク誤差によりタンパク質を検出する。
また、ブラッドフォード法、ＢＣＡタンパク質定量法、スルホサリチル酸法等により行うことができる。
ネコの場合、コーキシンを除去した尿中タンパク質濃度により、腎疾患に罹患しているか否かを診断することができる。ネコ尿中タンパク質濃度が、約１００〜数百μｇ／ｍｌ、好ましくは約１００〜約２００μｇ／ｍｌ以上の場合、腎疾患に罹患している可能性が高い。最終的には、獣医師の総合的な判断により、腎疾患に罹患しているか否かが診断される。
本発明の方法により、ネコ尿中の腎機能障害に由来するタンパク質を検出することができ、ネコの腎機能障害を診断することができる。
また、本発明はコーキシンと特異的に結合する物質を結合させた担体もしくは該担体を充填したカラム、ならびに尿タンパク検出用試験紙を含む腎機能障害由来のネコ尿タンパクを検出する試薬またはキットを含む。さらに、該試薬を含むネコの腎機能障害診断薬または診断キットを含む。
本発明を以下の実施例によって具体的に説明するが、本発明はこれらの実施例によって限定されるものではない。
【実施例１】
【０００６】
レクチンは糖タンパク質の糖鎖を認識して特異的に結合する活性を持つタンパク質である。コーキシンの糖鎖に対する各種レクチンの結合活性を調べた結果、レンズマメレクチン（ｌｅｎｓ  ｃｕｌｉｎａｒｉｓ  ｌｅｃｔｉｎ：以下ＬＣＡと略す）の親和性が高く、尿中のコーキシンに特異的に結合していることが明らかになった（図２）。
ＬＣＡを結合させた親和性担体であるＬＣＡ−Ｓｅｐｈａｒｏｓｅ（Ａｍｅｒｓｈａｍ）にネコ尿を加えることにより尿中のコーキシンを除去する実験を行った。１００μｌのＬＣＡ−Ｓｅｐｈａｒｏｓｅに尿サンプルを５０μｌ加え、転倒混和し、氷上で５分間置いた後、遠心し、上清を回収した。コントロールとして、ＬＣＡを結合していないＳｅｐｈａｒｏｓｅ担体を用いて、同様の実験を行った。各サンプルを非還元条件下でＳＤＳ−ＰＡＧＥを行い、ＣＢＢ染色し、タンパク質を検出した（図３）。
その結果、コーキシン以外の尿タンパク質（アルブミン）の量はほとんど変化しないが、コーキシンはＬＣＡ−Ｓｅｐｈａｒｏｓｅ担体に特異的に吸着し、サンプル中から除去されることが明らかになった。
【実施例２】
【０００７】
マイクロピペット用ブルーチップ利用したレクチン担体と尿との反応
図４のようにブルーチップに２００μｌのＬＣＡ−セファロースを充填しＴＢＳで平衡化した後、尿３００μｌをアプライしカラムを通過した尿を一滴（約５０μｌ）ずつ回収した。回収した尿は１０μｌを非還元条件下でＳＤＳ−ＰＡＧＥに供した後ゲルをＣＢＢ染色し（図５）、ブラッドフォード法でタンパク質の定量を行った（図６）。
コントロールでは、３〜４滴目の段階で平衡化バッファーが全て尿と置き換わっている。２００μｌのＬＣＡセファロースを詰めたチップには、３滴目の画分において９０％以上のタンパク質が吸着していることが明らかになった。このようなミニカラムに尿を添加し、数滴後のサンプルを回収することによりコーキシンがほとんど除去された画分を得ることが可能になると考えられる。
【実施例３】
【０００８】
トヨパール担体を用いたコーキシンの除去
ＬＣＡを結合させるアフィニティー担体としてＴＯＹＯＰＥＡＲＬ  ＡＦ−Ｔｒｅｓｙｌ  ６５０Ｍ（ＴＯＨＳＯＨ、以下トヨパールと略す）を用いて実施例２と同様の実験を行った。トヨパールを０．１ｇ（約４００μｌ）計量し、ＬＣＡを１５ｍｇ／ｍｌ（担体）になるように０．１Ｍリン酸ナトリウムバッファー（ｐＨ７．４）２ｍｌに溶解したものを加え、４℃で一晩転倒混和して反応させた。その後５倍量の１Ｍ  ＮａＣｌで担体を洗浄し、０．１Ｍ  Ｔｒｉｓ−ＨＣｌ＋０．５Ｍ  ＮａＣｌにて室温で１時間ブロッキングした。回収した尿サンプルをＳＤＳ−ＰＡＧＥに供し、ＣＢＢ染色したゲルのイメージ画像（図７）より、画像解析プログラム（ＢＩＯ−ＲＡＤ、Ｍｏｌｅｃｕｌａｒ  Ａｎａｌｙｓｔ）を用いてコーキシンのバンドの定量を行った（図８Ａおよび図８Ｂ）。図８Ａがブラッドフォード定量法による結果、図８Ｂがデンシトメトリー定量法による結果を示す。その結果、コントロールの担体（ＬＣＡを加えずにブロッキング処理だけ行ったもの）と比較して、２滴目から８滴目にかけて、９０〜９５％のコーキシンが除去された尿サンプルが得られた。また、担体通過後の尿の全タンパク質濃度を色素結合法（ＢＩＯ−ＲＡＤ  Ｑｕｉｃｋ  Ｓｔａｒｔ  Ｂｒａｄｆｏｒｄ  Ｄｙｅ  Ｒｅａｇｅｎｔ）によって測定したところ、タンパク質濃度がカラム通過前の２５〜３０％まで低下していた。この操作により一般的な尿試験紙（プレテスト：和光純薬）において判定が２段階変化する。この結果から、ＬＣＡカラムを用いる手法はネコ尿中のコーキシンの除去に有効であると考えられる。
同様の実験を２回行った。２回目の実験において、上記担体２００μｌを、先端を５ｍｍカットし先端に脱脂綿を詰めたブルーチップに充填しＴＢＳ（Ｔｒｉｓ−Ｂｕｆｆｅｒｅｄ  Ｓａｌｉｎｅ）で平衡化した。このカラムに尿５００μｌをアプライし、カラムを通過した尿を２滴（約６０μｌ）ずつ８画分回収した。回収した画分はそれぞれＢｒａｄｆｏｒｄ法でタンパク質の定量を行い、１０μｌを非還元条件下でＳＤＳ−ＰＡＧＥ（１２％アクリルアミドゲル）に供した後ゲルをＣＢＢ染色した。脱染後、コーキシンのバンドをデンシトメトリーで定量した。コントロールとして、レクチンを加えずに０．２Ｍ  Ｔｒｉｓ−ＨＣｌ（ｐＨ７．４）で反応基をブロックした担体を同じチップに同量充填したものを用いた。
図９にＳＤＳ−ＰＡＧＥの結果、図１０ＡにＢｒａｄｆｏｒｄアッセイの結果、図１０Ｂにデンシトメトリーを用いた定量の結果を示す。Ｂｒａｄｆｏｒｄ法によるタンパク質定量では、ＴＢＳが全て尿と置き換わった５画分目において、Ｔｏｔａｌタンパク質の約８８％、デンシトメトリーによるコーキシンのバンドの定量では約９６％のコーキシンが担体に吸着されており、ネコ尿から除去できることが確認できた。
上記の方法によりコーキシンを除去処理した尿検体および処理しない尿検体を用いて、尿試験紙（プレテスト、和光純薬）を用いて尿中タンパク量を測定した。結果を図１１に示す。図１１に示すようにコーキシンを除去した尿検体では、発色の程度は低下していた。
上記のＴＯＹＯＰＥＡＲＬ  ＡＦ−Ｔｒｅｓｙｌ  ６５０Ｍの代わりにＴＯＹＯＰＥＡＲＬ  ＡＦ−Ｆｏｒｍｙｌ  ６５０Ｍを用いて同様の検討を行ったところ、同様の結果が得られた。
【実施例４】
【０００９】
血清タンパク質の影響
実施例３で調製したカラムを用いて、コーキシン除去における血清タンパク質の影響を解析した。健常なオス猫の尿４９０μｌに猫の血清を１０μｌ加えたものを担体カラムに添加し、上述の方法で、カラムを通過した尿のタンパク質の分析を行った。図１２に各画分のＳＤＳ−ＰＡＧＥの結果を、図１３に各画分のＢｒａｄｆｏｒｄ法により測定したタンパク質濃度を示す。図に示すように、高濃度の血清タンパク質が存在していても、コーキシンのみが選択的にカラムに吸着されることが判明した。
【実施例５】
【００１０】
腎臓病に罹患したネコの尿を用いた測定
ほとんどコーキシンを尿中に出していない３頭の腎臓病の猫の尿５００μｌを用いて実施例３および４と同様の実験を行い、第５から第６溶出画分までの各画分のＳＤＳ−ＰＡＧＥにより、タンパク質の溶出パターンをコントロールと比較した。図１４〜図１６にそれぞれのネコの尿のＳＤＳ−ＰＡＧＥの結果を示す。図に示すように、３頭の尿で、それぞれ尿タンパク質のパターンは異なっているが、腎臓病の猫の尿中に見られるコーキシン以外のタンパク質のＬＣＡカラムへの結合はほとんど見られないことが分かった。
【産業上の利用可能性】
【００１１】
通常の尿検査に使われているタンパク試験紙を用いたネコの尿検査では、健常尿に大量に存在するコーキシンと腎疾患（腎機能障害）由来の尿タンパク質の区別が困難であるが、本技術を用いた測定法では、後者のタンパク質のみを選択的に検出することが可能である。
本明細書で引用した全ての刊行物、特許および特許出願をそのまま参考として本明細書にとり入れるものとする。
【図１】
2009013839.tif 000003
【図６Ａ】
2009013839.tif 000004
【図６Ｂ】
2009013839.tif 000005
【図８Ａ】
2009013839.tif 000006
【図８Ｂ】
2009013839.tif 000007
【図１０Ａ】
2009013839.tif 000008
【図１０Ｂ】
2009013839.tif 000009
【図１３】
2009013839.tif 000010
【図２】
2009013839.tif 000011
【図３】
2009013839.tif 000012
【図４】
2009013839.tif 000013
【図５】
2009013839.tif 000014
【図７】
2009013839.tif 000015
【図９】
2009013839.tif 000016
【図１１】
2009013839.tif 000017
【図１２】
2009013839.tif 000018
【図１４】
2009013839.tif 000019
【図１５】
2009013839.tif 000020
【図１６】
2009013839.tif 000021
【国際調査報告】
2009013839.tif 000022
2009013839.tif 000023
2009013839.tif 000024
2009013839.tif 000025